(57)【要約】【課題】ケース本体の剛性を向上させることができる電気接続箱を提供する。【解決手段】電気接続箱１は、ブロック２と、ケース本体３と、ブロック２に取り付けられた電線９の配索経路を規制するインナーカバー４と、を備えている。ケース本体３は、周壁３０と底壁３１と開口部３２とを有する深い箱状に形成され、底壁３１側が先細形状に形成されている。インナーカバー４はケース本体３の内面に沿った先細形状に形成されている。周壁３０の対向する２面には切り欠き部３３，３４が形成されている。ケース本体３は、ブロック２を収容していない自然状態で切り欠き部３３，３４の幅がブロック２を収容している状態の幅よりも小さく、ブロック２がケース本体３内に挿入される際に切り欠き部３３，３４の幅が拡げられる。【選択図】図２
2014121224.tif 000002
【特許請求の範囲】
【請求項１】
複数の部品が取り付けられるブロックと、該ブロックを収容するケース本体と、前記ブロックに取り付けられ、前記ブロックに取り付けられた電線の配索経路を規制するインナーカバーと、を備えた電気接続箱において、
前記ケース本体が周壁と底壁と開口部とを有する箱状に形成され、かつ、前記インナーカバーが、前記ケース本体の内面に沿った形状に形成されている
ことを特徴とする電気接続箱。
【請求項２】
前記インナーカバーが、前記底壁に近付くにしたがって幅が小さくなる先細形状に形成されている
ことを特徴とする請求項１に記載の電気接続箱。
【請求項３】
前記周壁における対向する２面に、前記開口部側の端部から前記底壁側に凹の切り欠き部が形成され、
前記ケース本体は、前記ブロックを収容していない自然状態において、前記切り欠き部の幅が、前記ブロックを収容している状態の幅よりも小さくなっており、
前記ブロックが前記ケース本体内に挿入される際に前記切り欠き部の幅が拡げられる
ことを特徴とする請求項２に記載の電気接続箱。
【発明の詳細な説明】
【技術分野】
【０００１】
本発明は、自動車に搭載される電気接続箱に関するものである。
【背景技術】
【０００２】
自動車には電気接続箱が搭載されている。電気接続箱は様々な構造のものがあるが、例えば、図８に示すインナーカバーを備えたものが知られている（特許文献１を参照。）。
【０００３】
図８に示すように、上記電気接続箱３０１は、上面３０２ａ側にリレーやヒューズが取り付けられ、下面３０２ｂ側に電線３０９が取り付けられるブロック３０２と、ブロック３０２の下面３０２ｂ側に取り付けられるアンダーカバー３０３と、ブロック３０２の下面３０２ｂ側に取り付けられ、前記電線３０９の配索経路を規制するインナーカバー３０４と、を備えている。
【０００４】
上記アンダーカバー３０３は、周壁３３０と、平らな底壁３３１とを有している。周壁３３０の１面及び底壁３３１には、電線３０９を引き出すための切り欠き部３３３が形成されている。
【０００５】
上記インナーカバー３０４は、ブロック３０２の下面３０２ｂとの間に電線３０９を拘束することにより、電線３０９がブロック３０２の側面よりも外方にはみ出すことを規制する。そして、インナーカバー３０４は、アンダーカバー３０３がブロック３０２の下面３０２ｂ側に取り付けられる際に、ブロック３０２の側面とアンダーカバー３０３の周壁３３０との間に電線３０９が噛み込まれることを防止する。
【先行技術文献】
【特許文献】
【０００６】
【特許文献１】特開２００１−２１１５２８号公報
【発明の概要】
【発明が解決しようとする課題】
【０００７】
上述した電気接続箱３０１は、アンダーカバー３０３の深さが浅いが、車両搭載箇所の形状やスペースの制限があるため、電気接続箱の形状は様々であると共に、このような制限により、電気接続箱の剛性を高めることは困難である。特に、上記制限により、ブロックを収容するケース本体の深さが深く形成された電気接続箱があるが、このような電気接続箱の場合、ケース本体の剛性を高めることが困難であった。
【０００８】
また、上述した電気接続箱３０１は、アンダーカバー３０３の周壁３３０の１面及び底壁３３１のみに切り欠き部３３３が形成されているが、これ以外に、ブロックを収容するケース本体の周壁における対向する２面に切り欠き部が形成された電気接続箱がある。このような電気接続箱の場合、切り欠き部が形成された２面と角をなす他の２面が切り欠き部側に倒れてしまい、ケース本体にブロックを挿入しにくいという問題があった。また、切り欠き部が形成されていなくても、開口部が小さいケース本体の場合、又は、周壁の反り（変形）によりブロックを挿入しにくいという問題があった。
【０００９】
したがって、本発明は、ケース本体の剛性を向上させることができる電気接続箱を提供することを第１の目的とし、ケース本体の剛性を向上させることができかつケース本体にブロックを容易に挿入することができる電気接続箱を提供することを第２の目的とする。
【課題を解決するための手段】
【００１０】
請求項１に記載された発明は、第１の目的を達成するために、複数の部品が取り付けられるブロックと、該ブロックを収容するケース本体と、前記ブロックに取り付けられ、前記ブロックに取り付けられた電線の配索経路を規制するインナーカバーと、を備えた電気接続箱において、前記ケース本体が周壁と底壁と開口部とを有する箱状に形成され、かつ、前記インナーカバーが、前記ケース本体の内面に沿った形状に形成されていることを特徴とするものである。
【００１１】
請求項２に記載された発明は、第２の目的を達成するために、請求項１に記載された発明において、前記インナーカバーが、前記底壁に近付くにしたがって幅が小さくなる先細形状に形成されていることを特徴とするものである。
【００１２】
請求項３に記載された発明は、請求項２に記載された発明において、前記周壁における対向する２面に、前記開口部側の端部から前記底壁側に凹の切り欠き部が形成され、前記ケース本体は、前記ブロックを収容していない自然状態において、前記切り欠き部の幅が、前記ブロックを収容している状態の幅よりも小さくなっており、前記ブロックが前記ケース本体内に挿入される際に前記切り欠き部の幅が拡げられることを特徴とするものである。
【発明の効果】
【００１３】
請求項１に記載された発明によれば、インナーカバーがケース本体の内面に沿い、２つの面が重なることでケース本体の剛性を向上させることができる。
【００１４】
請求項２に記載された発明によれば、インナーカバーが先細形状に形成されていることから、ケース本体にブロックを挿入する際、ケース本体の開口部をインナーカバーの先細形状に形成された先端部分で拾うことができ、ブロックを容易に挿入することができる。
【００１５】
請求項３に記載された発明によれば、インナーカバーが先細形状に形成されていることから、ケース本体にブロックを挿入する際、ケース本体の狭くなった開口部をインナーカバーの先細形状に形成された先端部分で拾うことができ、ケース本体周壁の倒れを矯正しながらブロックを容易に挿入することができる。
【図面の簡単な説明】
【００１６】
【図１】本発明の一実施形態にかかる電気接続箱の分解図である。
【図２】図１に示されたブロックにインナーカバーが取り付けられた状態を示す斜視図である。
【図３】図２に示されたブロック及びインナーカバーがケース本体内に挿入される途中の状態を示す斜視図である。
【図４】図３に示されたブロック及びインナーカバーがケース本体内に完全に収容された状態を示す斜視図である。
【図５】図２に示されたブロック、インナーカバー、ケース本体の断面図である。
【図６】図３に示されたブロック、インナーカバー、ケース本体の断面図である。
【図７】図４に示されたブロック、インナーカバー、ケース本体の断面図である。
【図８】従来の電気接続箱の分解図である。
【発明を実施するための形態】
【００１７】
本発明の一実施形態にかかる「電気接続箱」を図１〜７を参照して説明する。前記電気接続箱は、自動車に搭載されて、前記自動車に搭載された電子機器に対して電力供給及び信号伝達を行うものである。
【００１８】
図１に示すように、電気接続箱１は、バスバ７、リレー、ヒューズ、ヒュージブルリンク８等の複数の部品が取り付けられるブロック２と、ブロック２を収容するケース本体３と、ブロック２に取り付けられ、ブロック２に取り付けられた電線９（図２に点線で示す。）の配索経路を規制するインナーカバー４と、サイドカバー５と、アッパーカバー６と、を備えている。これらブロック２、ケース本体３、インナーカバー４、サイドカバー５及びアッパーカバー６は、合成樹脂で構成されている。
【００１９】
また、図１中の矢印Ｚは、ケース本体３の深さ（高さ）方向を表しており、矢印Ｙは、ケース本体３の長手方向を表しており、矢印Ｘは、ケース本体３の短手方向を表している。
【００２０】
上記ブロック２は、上面２ａ側にリレー、ヒューズ、ヒュージブルリンク８等の部品が取り付けられる部品取付部２１が設けられ、下面２ｂ側にバスバ挿入溝や電線取付部２２（図２等に示す。）が設けられている。また、ブロック２の長手方向（矢印Ｙ方向）の一側面には、ケース本体３の切り欠き部３３に配置される覆い部２３が設けられている。また、ブロック２の短手方向（矢印Ｘ方向）の側面には、インナーカバー４の爪部４４が係止する係止部２４が設けられている。
【００２１】
上記ケース本体３は、筒状の周壁３０と底壁３１と平面視が長方形の開口部３２とを有する深さが深い箱状に形成されている。周壁３０は、矢印Ｘ方向に平行に対向した２面３０ａ，３０ｃと、矢印Ｙ方向に平行に対向した他の２面３０ｂ，３０ｄとの４面を有している。２面３０ａ，３０ｃは開口部３２の長辺をなし、他の２面３０ｂ，３０ｄは開口部３２の短辺をなしている。前記２面３０ｂ，３０ｄには、開口部３２側の端部から底壁３１側に凹の切り欠き部３３，３４が形成されている。また、一方の切り欠き部３３は、面３０ｄのほぼ全域を切り欠いている。これら切り欠き部３３，３４は、電線９を引き出すためのものである。また、ケース本体３は、底壁３１側が開口部３２から離れるにしたがって幅が小さくなる先細形状に形成されている。
【００２２】
上記インナーカバー４は、図１，７に示すように、ケース本体３の周壁３０の面３０ａに沿う平行部４１と、周壁３０の面３０ｃに沿う平行部４２と、底壁３１に沿う先細形状の底部４３と、ブロック２の係止部２４に係止する爪部４４と、を有している。このように、インナーカバー４は、ケース本体３の内面に沿った先細形状に形成されている。インナーカバー４は、ブロック２の下面２ｂとの間に電線９を位置付けることにより、電線９がブロック２の側面よりも外方にはみ出すことを規制する。そして、インナーカバー４は、ブロック２がケース本体３内に挿入される際に、ブロック２の側面とケース本体３の周壁３０との間に電線９が噛み込まれることを防止する。また、インナーカバー４は、ケース本体３の内面に沿うことでケース本体３の剛性を補強する。
【００２３】
上記サイドカバー５は、ブロック２がケース本体３内に収容された後にケース本体３の切り欠き部３４に配置される。上述した覆い部２３とサイドカバー５は、図４に示すように、電線９を引き出すのに必要な部分を残して切り欠き部３３，３４を塞ぐ。なお、図４の状態では、実際には電線９が切り欠き部３３，３４から引き出されているが、電線９の図示を省略している。
【００２４】
上記アッパーカバー６は、ブロック２がケース本体３内に収容された後にケース本体３の開口部３２を覆う。
【００２５】
続いて、上記電気接続箱１の組み立て方法を説明する。まず、ブロック２に、バスバ７、リレー、ヒューズ、ヒュージブルリンク８等の部品と、電線９と、を取り付ける。次に、図２，５に示すように、ブロック２の下面２ｂ側にインナーカバー４を取り付ける。
【００２６】
次に、図３，６に示すように、ブロック２及びインナーカバー４をケース本体３内に挿入する。また、ケース本体３は、図５に示すように、ブロック２を収容していない自然状態において、切り欠き部３３，３４の幅が、ブロック２を収容している状態の幅よりも小さくなっている。すなわち、周壁３０の２面３０ａ，３０ｃが切り欠き部３３，３４側（内側）に倒れて開口部３２が狭くなっている。本発明においては、このようなケース本体３にブロック２及びインナーカバー４を挿入する際、ケース本体３の狭くなった開口部３２をインナーカバー４の先端部分（先細形状に形成された底部４３）で最初に拾うことができ、周壁３０の２面３０ａ，３０ｃの倒れを矯正しながら、すなわち切り欠き部３３，３４の幅を拡げながら、ブロック２を容易に挿入することができる。
【００２７】
そして、ブロック２及びインナーカバー４がケース本体３内に収容されることにより、図４，７に示すように、インナーカバー４がケース本体３の内面に沿い、ケース本体３の剛性が補強される。また、ブロック２及びインナーカバー４がケース本体３内に収容されることにより、電線９が噛み込まれることなく切り欠き部３３，３４からケース本体３外に引き出される。
【００２８】
次に、サイドカバー５をケース本体３の切り欠き部３４に取り付け、アッパーカバー６をケース本体３の開口部３２に取り付けることにより、電気接続箱１の組み立てが完了する。
【００２９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３０】
１  電気接続箱
２  ブロック
３  ケース本体
４  インナーカバー
９  電線
３０  周壁
３１  底壁
３２  開口部
３３，３４  切り欠き部
【図１】
2014121224.tif 000003
【図２】
2014121224.tif 000004
【図３】
2014121224.tif 000005
【図４】
2014121224.tif 000006
【図５】
2014121224.tif 000007
【図６】
2014121224.tif 000008
【図７】
2014121224.tif 000009
【図８】
2014121224.tif 000010